(57)【要約】【課題】椅子構造を提供する。【解決手段】シートバックとシートバック棒、座り部、支持パイプ及び脚座からなり、シートバック棒の上端にシートバックが連結され、下端が座り部に連結され、支持パイプの上端に座り部が連結され、下端が脚座に連結される椅子であって、シートバック棒と座り部の下方にある支持パイプとの間に復位器と部材が設けられ、該復位器の一端にシートバック棒が組み立てられたシートバック棒結合部が設けられ、復位器のもう一端に部材結合部が設けられ、座り部の下方に部材があり、部材に復位器の部材結合部に組み立てられた結合座が設けられ、部材が座り部の下方の支持パイプに組み立てられ、該復位器の作動によりシートバックが復位する。【選択図】図２
0003141844.tif 000002
【実用新案登録請求の範囲】
【請求項１】
シートバックとシートバック棒、座り部、支持パイプ及び脚座からなり、シートバック棒の上端にシートバックが連結され、下端が座り部に連結され、支持パイプの上端に座り部が連結され、下端が脚座に連結される椅子であって、
シートバック棒と座り部の下方にある支持パイプとの間に、復位器と部材が設けられ、該復位器の一端に、シートバック棒が組み立てられたシートバック棒結合部が設けられ、復位器のもう一端に、部材結合部が設けられ、座り部の下方に、部材があり、部材に復位器の部材結合部に組み立てられた結合座が設けられ、部材が座り部の下方の支持パイプに組み立てられ、該復位器の作動により、シートバックが復位することを特徴とする、椅子構造。
【請求項２】
該復位器が、水圧や気圧或いは弾性素子を利用して設置されることを特徴とする、請求項１に記載の椅子構造。
【請求項３】
該部材が、座り部の下方の支持パイプに嵌合されるスリーブであることを特徴とする、請求項１に記載の椅子構造。
【請求項４】
該部材が、底座と一体として設置されることを特徴とする、請求項１に記載の椅子構造。
【請求項５】
該部材が、部材を貫通して座り部の下方の支持パイプに圧迫するロック部品であることを特徴とする、請求項１に記載の椅子構造。
【請求項６】
該部材が、固定部品と可動部品とを軸着して形成され、螺着や係合により座り部の下方の支持パイプに固定されることを特徴とする、請求項１に記載の椅子構造。
【請求項７】
復位器のシートバック棒結合部に、横方向棒をシートバック棒結合部に貫設するための貫通穴が形成され、横方向棒により、シートバック棒に結合されることを特徴とする、請求項１に記載の椅子構造。
【請求項８】
シートバック棒が、二つの側棒と横方向棒とからなり、復位器のシートバック棒結合部が、該横方向棒に結合されることを特徴とする、請求項１に記載の椅子構造。
【請求項９】
シートバック棒が、Ｈ型シートバック棒であり、復位器のシートバック棒結合部が、該Ｈ型シートバック棒の中間の横方向棒に結合されることを特徴とする、請求項１に記載の椅子構造。
【考案の詳細な説明】
【技術分野】
【０００１】
本考案は、椅子構造に関し、特に、シートバックを復位できる椅子構造に関する。
【背景技術】
【０００２】
図９のように、従来の椅子は、椅子足８０の上方に底板８１があり、底板８１の上方にシートクッション８２があり、底板８１の後方にシートバック棒８３があり、シートバック棒８３にシートバック８４が結合され、シートバック棒８３の上下両端が、それぞれシートバック８４と底板８１にロックされ、シートバック棒８３がシートバック８４を支持し、そのシートバック棒８３とシートバック８４とがピン継手によって結合され、シートバック８４が腰部の受け力を分散して支持する時、ピン継手により所定の角度で微細に回動できる。上記の従来の椅子構造は、人体が座る時、支持できるが、そのシートバック８４の回動幅が小さいため、ユーザーの背中が後ろに伸びることができず、シートバック８４により背中の可動角度が制限され、そのため体を完全にリラックスすることができない。
【考案の開示】
【考案が解決しようとする課題】
【０００３】
本考案の主な目的は、シートバックが、ユーザーが背中を後へ伸びる時に後へ所定の角度に回動でき、背中が完全にシートバックに貼り付き、体の重量により復位器が圧縮されて、ユーザーがリラックスになるように、大幅に体を伸ばすことができるシートバックを復位できる椅子構造を提供する。
【０００４】
本考案の他の目的は、ユーザーが背中を伸ばす状態で、復位器により気楽に元の座る状態に戻ることができるシートバックを復位できる椅子構造を提供する。
【０００５】
本考案の更に他の目的は、ユーザーが背中を伸ばす状態で、復位器により気楽に元の座る状態に戻ることができ、同時に、シートバックで腰部を支持するシートバックを復位できる椅子構造を提供する。
【課題を解決するための手段】
【０００６】
請求項１の考案は、シートバックとシートバック棒、座り部、支持パイプ及び脚座からなり、シートバック棒の上端にシートバックが連結され、下端が座り部に連結され、支持パイプの上端に座り部が連結され、下端が脚座に連結される椅子であって、シートバック棒と座り部の下方にある支持パイプとの間に、復位器と部材が設けられ、該復位器の一端に、シートバック棒が組み立てられたシートバック棒結合部が設けられ、復位器のもう一端に部材結合部が設けられ、座り部の下方に部材があり、部材に復位器の部材結合部に組み立てられた結合座が設けられ、部材が座り部の下方の支持パイプに組み立てられ、該復位器の作動により、シートバックが復位することを特徴とする、椅子構造である。
【０００７】
請求項２の考案は、該復位器が水圧や気圧或いは弾性素子を利用して設置されることを特徴とする、請求項１に記載の椅子構造である。
【０００８】
請求項３の考案は、該部材が座り部の下方の支持パイプに嵌合されるスリーブであることを特徴とする、請求項１に記載の椅子構造である。
【０００９】
請求項４の考案は、該部材が底座と一体として設置されることを特徴とする、請求項１に記載の椅子構造である。
【００１０】
請求項５の考案は、該部材が部材を貫通して座り部の下方の支持パイプに圧迫するロック部品であることを特徴とする、請求項１に記載の椅子構造である。
【００１１】
請求項６の考案は、該部材が固定部品と可動部品とを軸着して形成され、螺着や係合により座り部の下方の支持パイプに固定されることを特徴とする、請求項１に記載の椅子構造である。
【００１２】
請求項７の考案は、復位器のシートバック棒結合部に、横方向棒をシートバック棒結合部に貫設するための貫通穴が形成され、横方向棒により、シートバック棒に結合されることを特徴とする、請求項１に記載の椅子構造である。
【００１３】
請求項８の考案は、シートバック棒が二つの側棒と横方向棒からなり、復位器のシートバック棒結合部が該横方向棒に結合されることを特徴とする、請求項１に記載の椅子構造である。
【００１４】
請求項９の考案は、シートバック棒がＨ型シートバック棒であり、復位器のシートバック棒結合部が該Ｈ型シートバック棒の中間の横方向棒に結合されることを特徴とする、請求項１に記載の椅子構造である。
【考案を実施するための最良の形態】
【００１５】
図１と２を参照しながら、本考案は、シートバック１０とシートバック棒２０、座り部３０、支持パイプ４０及び脚座５０等が備えられ、シートバック１０はシートバック棒２０の上端に連結され、シートバック棒２０の下端が、座り部３０に組み立てられ、座り部３０の下方に支持パイプ４０が連結され、支持パイプ４０の下端が脚座５０に連結され、シートバック棒２０と座り部３０の下方にある支持パイプ４０との間に復位器６０と部材７０が設けられ、シートバック棒２０に、復位器結合部２１により復位器６０が組み立てられ、該復位器６０は水圧や気圧或いは弾性素子を利用して設置され、復位器６０の一端にシートバック棒２０に組み立てられるシートバック棒結合部６１が設けられ、復位器６０のもう一端に部材結合部６２が設けられ、座り部３０の下方に部材７０があり、該部材７０はスリーブであり（図２を参照）、部材７０の側辺に復位器６０の部材結合部６２に組み立てられた結合座７１が設けられ、部材７０が座り部３０の下方の支持パイプ４０に組み立てられ、また、該復位器６０の作動によりシートバック１０を復位させる効果が得られる。
【００１６】
本考案によれば、図３のように、シートバック１０全体が後ろへ仰ぎ向く時、シートバック棒２０に印加する力が復位器６０の弾力よりも大きいため、復位器６０を圧迫して復位器６０が圧縮され、椅子のシートバック１０が所定の角度まで傾斜すると、上半身の重量により復位器６０が圧縮される状態に維持され、また、体が自然に後へ仰いでリラックスする時、復位器６０が所定の程度まで変形すると、シートバック棒２０が更に仰ぐことができなく、シートバック１０に適当な支持力が発生し、ユーザーの腰部に印加した力が分散されることにより、ユーザーの腰部に疲労を掛からなく、そして、起き上がる時、そのシートバック１０が力のないや印加される力が復位器６０の弾力より小さいため、復位器６０により、シートバック１０が上へ押され、このように、復位器６０の復帰力により、簡単に上半身を元の位置に戻すことができ、また、同時にシートバック１０を元の位置に復帰でき、これにより、ユーザーが力を使いにくいから上半身を引き挙げない。
【００１７】
また、図４乃至８を参照しながら、本考案に係る椅子構造の他の実施例において、シートバック棒は、二つの側棒と一つの横方向棒からなってもよいし、Ｈ型シートバック棒でもよく、シートバック棒２０は、二つの側棒２２と一つの横方向棒２３からなる場合、両側棒２２の上端がシートバック１０に結合され、側棒２２の下方が座り部端２２１に結合され、横方向棒２３が両側棒２２の間のやや下方に連接され、シートバック棒２０の座り部端２１１と座り部３０の結合端３１とが枢着され、支持パイプ４０の上端が座り部３０に連結され、下端が脚座５０に連結され、シートバック棒２０と座り部３０の下方にある支持パイプ４０との間に、復位器６０と部材７０が設けられ、該復位器６０の一端にシートバック棒結合部６１が設けられ、シートバック棒結合部６１に横方向棒２３が貫通するための貫通穴６１１が形成され、これにより、復位器６０のシートバック棒結合部６１がシートバック棒２０に連結され、復位器６０のもう一端設に部材結合部６２が設けられ、座り部３０の下方に部材７０が設けられ、部材７０の側辺に復位器６０の部材結合部６２に組み立てられる結合座７１が設けられ、部材７０が座り部３０の下方の支持パイプ４０に組み立てられ、また、該部材７０は座り部３０と一体として設置されるものや（図６のように）ロック部品７２（図７のように）であり、該ロック部品７２は部材７０に貫通して座り部３０の下方の支持パイプ４０に圧迫するようでもよく、固定部品７３と可動部品７４とが軸着により結合され（図８のように）、螺着や係合により、座り部３０の下方の支持パイプ４０に固定されてもよい。
【図面の簡単な説明】
【００１８】
【図１】本考案の斜視図
【図２】本考案の斜視分解図
【図３】本考案の側面作動図
【図４】本考案の他の実施例の斜視図
【図５】本考案の他の実施例の斜視分解図
【図６】本考案の他の実施例の斜視分解図
【図７】本考案の他の実施例の側面図
【図７−１】図７のＡ−Ａ断面
【図８】本考案の他の実施例の側面図
【図８−１】図8のＢ−Ｂ断面
【図９】従来の椅子構造の側面図
【符号の説明】
【００１９】
本考案
１０      シートバック
２０      シートバック棒
２１      復位器結合部
２２      側棒
２１１    座り部端
２３      横方向棒
３０      座り部
３１      結合端
４０      支持パイプ
５０      脚座
６０      復位器
６１      シートバック棒結合部
６１１    貫通穴
６２      部材結合部
７０      部材
７１      結合座
７２      ロック部品
７３      固定部品
７４      可動部品
従来
８０      椅子足
８１      底板
８２      シートクッション
８３      シートバック棒
８４      シートバック
【図１】
0003141844.tif 000003
【図２】
0003141844.tif 000004
【図３】
0003141844.tif 000005
【図４】
0003141844.tif 000006
【図５】
0003141844.tif 000007
【図６】
0003141844.tif 000008
【図７】
0003141844.tif 000009
【図７−１】
0003141844.tif 000010
【図８】
0003141844.tif 000011
【図８−１】
0003141844.tif 000012
【図９】
0003141844.tif 000013